(57)【要約】【課題】指圧効果のみならず、ストレッチ作用で首周辺の筋肉の緊張を取ることができる肩こり治療用の枕を提供する。【解決手段】肩こり治療用枕は、基台１２の上面に頸部の頭側の付け根に押圧される一対の突起部からなる第１突起部１３と頸部の肩側の付け根に押圧される一対の突起部から構成される第２突起部１４が略平行に配されている。基台１２は、ウレタンフォームにより成形されるとともに、底面に屈曲面１２ｄが形成されており、第１突起部１３及び第２突起部１４の頂点Ｐ１，Ｐ３との距離が不使用時よりも使用時に大きくなるように構成されている。【選択図】  図４
2005152410.tif 000002
【特許請求の範囲】
【請求項１】
基体の上面に一対の第１の突起部と一対の第２の突起部とが略平行に配されてなる肩こり治療用枕において、
前記基体は、弾性材により成形されるとともに、その底面に屈曲面が形成されており、前記第１の突起部の頂点と第２の突起部の頂点との距離が不使用時よりも使用時に大きくなるように構成されている肩こり治療用枕。
【請求項２】
前記屈曲面は、前記基体が前記第１の突起部と前記第２の突起部の間において、突起部が形成されている側を内側として屈曲されることにより形成されている請求項１に記載される肩こり治療用枕。
【請求項３】
前記弾性材は、発泡材である請求項１又は請求項２に記載される肩こり治療用枕。
【発明の詳細な説明】
【技術分野】
【０００１】
本発明は、肩こりを治療するための枕に関する。
【背景技術】
【０００２】
一般に、肩こりは首や肩の周辺の肩甲拳筋、僧帽筋等が疲労又は緊張することによって引き起こされる。また、肩こりの治療は、筋肉の緊張を取るために指圧、マッサージ等により筋肉を揉み解したり、牽引等のストレッチで肩や首の筋肉を長手方向に引張ったり緩めたりすることによって行われる。従来より、肩こりを治療するための枕として、特許文献１に記載されるような枕が知られている。この枕は、比較的硬質の弾性材料によって略長方形状に形成された枕本体、及び該枕本体の表面上に頸部を押圧する一対の第１の突起部と頸部の付け根である肩部の押圧する一対の第２の突起部が設けられている構成である。このように構成された枕に、使用者が仰向けに頭を載せると、頭の重力により第１の突起部及び第２の突起部が頸部及び肩部をそれぞれ押圧する。
【特許文献１】実開昭５９−３７０９４号公報（図面）
【発明の開示】
【発明が解決しようとする課題】
【０００３】
ところが、上記のように構成された枕は、枕本体の表面上に設けられた第１の突起部及び第２の突起部により、頸部等を押圧することしかできなかった。そのため、指圧効果による筋肉を揉み解す作用しかなく、肩や首を引張ったり緩めたりするストレッチ効果により、筋肉の緊張を取ることまではできなかった。
【０００４】
本発明は、従来技術の上記問題を解決するためになされたもので、その目的は、指圧効果のみならず、ストレッチ効果で首周辺の筋肉の緊張を取ることができる肩こり治療用の枕を提供することにある。
【課題を解決するための手段】
【０００５】
上記目的を達成するために、請求項１に記載の発明は、基体の上面に一対の第１の突起部と一対の第２の突起部とが略平行に配されてなる肩こり治療用枕において、前記基体は、弾性材により成形されるとともに、その底面に屈曲面が形成されており、前記第１の突起部の頂点と第２の突起部の頂点との距離が不使用時よりも使用時に大きくなるように構成されているものである。
【０００６】
請求項２に記載の発明は、請求項１に記載される発明において、前記屈曲面は、前記基体が前記第１の突起部と前記第２の突起部の間において、突起部が形成されている側を内側として屈曲されることにより形成されているものである。
【０００７】
請求項３に記載の発明は、請求項１又は請求項２に記載される発明において、前記弾性材は、発泡材である。
【発明の効果】
【０００８】
本発明によれば、指圧効果のみならず、ストレッチ効果で首周辺の筋肉の緊張を取ることができる肩こり治療用の枕を提供することができる。
【発明を実施するための最良の形態】
【０００９】
以下、本発明を肩こり治療用の枕に具体化した一実施形態を図１〜図５にしたがって説明する。
図１〜図４に示されるように、肩こり治療用の枕１１（以下、「枕」と略記する）は、基体としての基台１２、及び該基台１２上に設けられている一対の突起部から構成される第１突起部１３及び一対の突起部から構成される第２突起部１４から形成されている。
【００１０】
基台１２は、発泡性の弾性材であるウレタンフォームにより平板状且つ略三角形状に成形されている。基台１２は、頸部を載せる側である上面１２ａを内側として三角形状の頭側角部１２ｂと肩側底辺部１２ｃの間の略中央部で屈曲されることにより底面に円弧状の屈曲面１２ｄが形成されている。
【００１１】
第１突起部１３は、頂点Ｐ１，Ｐ２をそれぞれ有してなる丸みを帯びた左側突起部１３ａと右側突起部１３ｂからなる。該左側突起部１３ａと右側突起部１３ｂは、基台１２の頭側角部１２ｂの上面において、頭側角部１２ｂと肩側底辺部１２ｃの中央を通過する中心軸線Ｌ１を中心として鏡映対称となるよう配されている。第１突起部１３は、発泡材であるウレタンフォームを材料として基台１２と一体的に成形されている。第１突起部１３の左側突起部１３ａと右側突起部１３ｂは、それぞれ頸部の頭側の左右付け根に押圧される。
【００１２】
第２突起部１４は、頂点Ｐ３，Ｐ４をそれぞれ有してなる丸みを帯びた左側突起部１４ａと右側突起部１４ｂからなる。該左側突起部１４ａと右側突起部１４ｂは、基台１２の肩側底辺部１２ｃにおいて、中心軸線Ｌ１を中心として鏡映対称となるよう配されるとともに、頂点Ｐ３，Ｐ４を結ぶ直線Ｌ３が頂点Ｐ１，Ｐ２を結ぶ直線Ｌ２と略平行になるように配されている。頂点Ｐ３とＰ４間の距離は、頂点Ｐ１とＰ２間の距離より大きく構成されている。第２突起部１４は、発泡材であるウレタンフォームを材料として基台１２と一体的に成形されている。第２突起部１４の左側突起部１４ａと右側突起部１４ｂは、それぞれ頸部の首側の左右付け根（左右肩部）に押圧される。
【００１３】
次に、枕１１の作用について説明する。
まず、枕１１は屈曲面１２ｄが下側となるよう床等の比較的堅い平面上に置かれる。次に、枕１１上に第１突起部１３がある方を頭部側、第２突起部がある方を肩側になるように向きを決めて仰向けの状態で頭を載せる。そのとき、第１突起部１３の左側突起部１３ａ及び右側突起部１３ｂが頸部の頭側の左右付け根にそれぞれ押圧されるようにゆっくり首の力を抜きながら枕１１の位置を調節する。同様に、第２突起部１４の左側突起部１４ａ及び右側突起部１４ｂが頸部の肩側の左右付け根にそれぞれ押圧されるように枕１１の位置を調節する。
【００１４】
そして、頭の重力により、一対の第１突起部１３及び一対の第２突起部１４が頸部の頭側付け根及び首側付け根にそれぞれ押圧されて屈曲状の基台１２が直線状に広がると同時に第１突起部１３と第２突起部１４の間隔も広がり、頸部が長手方向に引き伸ばされる。つまり、図４（ｂ）に示される使用中の枕１１において、側面から見た第１突起部１３の頂点Ｐ１と第２突起部１４の頂点Ｐ３間の距離Ｌ５は、図４（ａ）に示される使用前の枕１１における第１突起部１３の頂点Ｐ１と第２突起部１４の頂点Ｐ３間の距離Ｌ４よりも長くなる。そのとき、首の骨（頚椎）は、図５（ａ）に示されるような使用前の曲がった状態から、図５（ｂ）に示されるような真っ直ぐに引き伸ばされた状態へと変化する。
【００１５】
また、首の骨を支え、頸部を構成する筋肉である肩甲拳筋、僧帽筋等が頭部重力により一対の左右の突起部１３ａ，１３ｂ及び１４ａ，１４ｂの間に挟み込まれることによる頸部の摘み作用も生ずる。
【００１６】
次に、枕１１に頭部を載せた使用状態において、腕を前方から頭上にかけて又は側方から肩上にかけて往復運動させることによる肩甲拳筋、僧帽筋等の揉みほぐし作用も生ずる。
【００１７】
本実施形態の枕１１によれば、以下のような効果を得ることができる。
（１）本実施形態では、ウレタンフォームにより成形され、底面に屈曲面１２ｄが形成されている基台１２上において第１突起部１３及び第２突起部１４が頸部の頭側付け根及び首側付け根にそれぞれ押圧されると同時に第１突起部１３の頂点Ｐ１，Ｐ２と第２突起部１４の頂点Ｐ３，Ｐ４の間隔が広がるよう取り付けられた。したがって、頸部が第１突起部１３及び第２突起部１４によって押圧される指圧作用のみならず、長手方向に引き伸ばされるストレッチ作用も得ることができる。それにより、指圧作用のみの場合に比べより一層首周辺の筋肉の緊張を取り除くことができる。
【００１８】
（２）本実施形態では、基台１２は、頸部を載せる側である上面１２ａを内側として三角形状の頭側角部１２ｂと肩側底辺部１２ｃの間の略中央部で屈曲されている。したがって、基台１２の底面部において、使用時に第１突起部１３と第２突起部１４の間隔の広がるよう構成するための屈曲面１２ｄを容易に形成することができる。
【００１９】
（３）本実施形態では、基台１２を弾性材であるウレタンフォームにより成形した。したがって、屈曲された基台１２に適度な弾性を付与するとともに耐久性を付与することができる。
【００２０】
（４）本実施形態では、第１突起部１３及び第２突起部１４をウレタンフォームにより成形した。したがって、丸みを帯びた形状に容易に成形することができるとともに、適度な弾性力により適正な押圧力を頸部に付与することができる。
【００２１】
（５）本実施形態では、第１突起部１３と第２突起部１４はそれぞれ左右一対の突起部１３ａ，１３ｂ及び１４ａ，１４ｂから構造した。したがって、頸部を枕１１上に載せると、第１突起部１３と第２突起部１４による指圧効果のみならず、一対の突起部１３ａ，１３ｂ及び１４ａ，１４ｂの間に頸部が挟み込まれることによる摘み効果も得ることができる。
【００２２】
（６）本実施形態では、第１突起部１３と第２突起部１４による頸部指圧効果のみならず、図５に示すように、首の骨をまっすぐに引き伸ばす効果も得ることができる。
（７）本実施形態では、枕１１の適正位置に頭部を載せて、腕を前方から頭上にかけて又は側方から肩上にかけて往復運動させることにより、第１突起部１３と第２突起部１４による頸部指圧効果のみならず、肩甲拳筋、僧帽筋等の筋肉の揉みほぐし効果も得ることができる。
【００２３】
なお、上記実施形態は以下のように変更してもよい。
・上記実施形態では、基台１２を発泡材としてのウレタンフォームを用いて成形したが、例えば、発泡性ポリスチレンのような合成樹脂、ゴム、エラストマー等の弾性材を用いて成形してもよい。
【００２４】
・上記実施形態では、基台１２を屈曲させることにより底面に屈曲面１２ｄを形成した。しかしながら、基台１２を三日月・半月型等により構成し、底面に屈曲面１２ｄを形成してもよい。
【００２５】
・上記実施形態では、屈曲面１２ｄは、円弧状の円弧面により構成した。しかしながら、船型等の平面部を含んで構成される角型面であってもよい。屈曲面１２ｄの中央部に平面部を設けた構成においては、かかる平面部により安定状態で枕１１を置くことができる。
【００２６】
・上記実施形態では、基台１２、第１突起部１３及び第２突起部１４を弾性材であるウレタンフォームにより一体的に構成した。しかしながら、基台１２、第１突起部１３及び第２突起部１４をそれぞれ別々の材料により成形して、後で組み付けることにより枕１１を構成してもよい。
【００２７】
・上記実施形態では、第１突起部１３を頸部の頭側付け根に押圧させ、第２突起部１４を頸部の首側付け根に押圧させた。しかしながら、第１突起部１３を頸部の頭側付け根に押圧させ、第２突起部１４を頸部の首側付け根に押圧させた後、枕１１の上下向きを入れ替えて、第２突起部１４を頸部の頭側付け根に押圧させ、第１突起部１３を頸部の首側付け根に押圧させて使用してもよい。
【００２８】
次に、上記実施形態及び別例から把握できる技術的思想について、それらの効果とともに以下に追記する。
（ａ）前記請求項に記載される肩こり治療用枕において、前記第１の突起部及び第２の突起部は、基体上において一対の第２の突起部の頂点間の距離の方が一対の第１の突起部の頂点間の距離に比べて大きくなるよう配されている肩こり治療用枕。従って、この（ａ）に記載の発明によれば、頸部を構成する筋肉である肩甲拳筋、僧帽筋等は、頭部から肩側に広がっているため、突起部の頂点は頸部を構成する筋肉上に配置され得る。また、枕の頭側角部と肩側底辺部の向きが容易に判別できる。
【００２９】
（ｂ）前記請求項に記載される肩こり治療用枕において、前記基台、第１突起部及び第２突起部をウレタンフォームにより一体的に成形した肩こり治療用枕。したがって、同一材料により一体的に成形することにより肩こり治療用枕を安価に作成することができる。
【図面の簡単な説明】
【００３０】
【図１】本実施形態の肩こり治療用枕の斜視図。
【図２】本実施形態の肩こり治療用枕の平面図。
【図３】本実施形態の肩こり治療用枕の正面図。
【図４】本実施形態の肩こり治療用枕の側面図。（ａ）使用前における肩こり治療用枕の側面図。（ｂ）使用中における肩こり治療用枕の側面図。
【図５】頸部側面からのレントゲン写真。（ａ）本実施形態の肩こり治療用枕の使用前にける頸部側面からのレントゲン写真。（ｂ）本実施形態の肩こり治療用枕の使用中にける頸部側面からのレントゲン写真。
【符号の説明】
【００３１】
１１…肩こり治療用枕、１２…基体としての基台、１２ａ…上面、１２ｄ…屈曲面、１３…第１突起部、１４…第２突起部、Ｌ１…中心軸線、Ｌ４，Ｌ５…肩こり治療用枕を側面から見た場合における第１突起部と第２突起部の頂点間の距離、Ｐ１，Ｐ２…第１突起部の頂点、Ｐ３，Ｐ４…第２突起部の頂点
【図１】
2005152410.tif 000003
【図２】
2005152410.tif 000004
【図３】
2005152410.tif 000005
【図４】
2005152410.tif 000006
【図５】
2005152410.tif 000007